(57)【要約】      （修正有）【課題】発光素子が点灯していないときには、警告表示部が視認され難い指針式計器を提供する。【解決手段】指針駆動部は、指針を回動させる。表示板は、指針に指示される目盛部４１ａを有する。表示板は、警告情報を表す警告表示部４２と、少なくとも警告表示部４２に対応する個所に形成された透光性装飾部４９とを有する。透光性装飾部４９は、目盛部４１ａに対応する個所には形成されていない。透光性装飾部４９は、同心円状のヘアライン模様である。【選択図】図６
2018096859.tif 000002
【特許請求の範囲】
【請求項１】
指針と、前記指針を回動させる指針駆動部と、前記指針に指示される目盛部を有する表示板と、を備えた指針式計器であって、
前記表示板は、警告情報を表す警告表示部と、少なくとも前記警告表示部に対応する個所に形成された透光性装飾部と、を有すると共に、
前記警告表示部を照明する発光素子を更に備えたことを特徴とする指針式計器。
【請求項２】
前記透光性装飾部は、前記目盛部に対応する個所には形成されていないことを特徴とする請求項１に記載の指針式計器。
【請求項３】
前記透光性装飾部は、同心円状のヘアライン模様であることを特徴とする請求項１に記載の指針式計器。
【発明の詳細な説明】
【技術分野】
【０００１】
本発明は、透光性装飾部を有する表示板を備えた指針式計器に関するものである。
【背景技術】
【０００２】
従来より、ヘアライン模様が形成された表示板を備えた指針式計器が種々提案されており、例えば特許文献１に開示されている。斯かる指針式計器は、指針に指示される指標部を有する表示板に、同心円状のヘアライン模様を形成したものである。指針式計器の表示板は、複数の警告表示部を有しており、これらの警告表示部の近傍にはヘアライン模様は形成されていない。通常、警告表示部は光輝していないが、警告表示部の後面側に配設された発光素子が点灯したときは、警告表示部が光輝して、警告情報が表示される。
【先行技術文献】
【特許文献】
【０００３】
【特許文献１】特開２０１０−１７５３４６号公報
【発明の概要】
【発明が解決しようとする課題】
【０００４】
しかしながら、警告表示部が光輝していないときにも警告表示部が視認されるため、警告表示部が目立たないという問題があった。つまり、上述した指針式計器は、警告表示部の後面側に配設された発光素子が点灯している時と、発光素子が消灯している時との外観上の違いが少なかったため、警告情報が表示されたときに、警告表示部が目立たない虞があった。また、上述した指針式計器は、警告表示部の近傍だけ、ヘアライン模様が形成されていないため、必ずしもデザイン的に優れたものではなかった。
【課題を解決するための手段】
【０００５】
本発明は、指針１０と、前記指針１０を回動させる指針駆動部２２と、前記指針１０に指示される目盛部４１ａを有する表示板４０と、を備えた指針式計器であって、前記表示板４０は、警告情報を表す警告表示部４２と、少なくとも前記警告表示部４２に対応する個所に形成された透光性装飾部４９と、を有すると共に、前記警告表示部４２を照明する発光素子２６を更に備えたことを特徴とする。
【０００６】
また、本発明は、前記透光性装飾部４９は、前記目盛部４１ａに対応する個所には形成されていないことを特徴とする。
【０００７】
また、本発明は、前記透光性装飾部４９は、同心円状のヘアライン模様であることを特徴とする。
【発明の効果】
【０００８】
警告表示部に対応する個所に透光性装飾部が形成されているため、発光素子が点灯していないときには、警告表示部が視認され難い。
【図面の簡単な説明】
【０００９】
【図１】本発明の実施形態を示す断面図。
【図２】同上実施形態を示す断面図。
【図３】同上実施形態を示す正面図。
【図４】同上実施形態を示す要部断面図。
【図５】同上実施形態を示す要部断面図。
【図６】同上実施形態を示す要部拡大正面図。
【図７】他の実施形態を示す要部拡大正面図。
【発明を実施するための形態】
【００１０】
以下、添付図面に基づいて、本発明の一実施形態を説明する。車両用表示装置は、指針１０と、回路基板２０と、ケース体３０と、表示板４０と、液晶表示器５０と、後面カバー６０と、を備えている。
【００１１】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する指標部４１を指示部１１にて指示する。回路基板２０は、基板本体２１と、基板本体２１の後面側に実装された指針駆動部２２と、基板本体２１の表面側に実装された発光素子２４，２５，２６と、を備えており、表示板４０の後側に配置されている。
【００１２】
基板本体２１は、平板状のガラスエポキシ系基材に、指針駆動部２２を駆動させる駆動回路、発光素子２４，２５，２６を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５，２６を発光させる。
【００１３】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針１０のボス部１３は、表示板４０に形成された貫通孔４０ａに挿入される。表示板４０の貫通孔４０ａは、指針駆動部２２の回動軸２２ａに対応する個所に形成されており、正面視で円形状になっている。
【００１４】
基板本体２１の駆動回路は、制御部から供給される制御信号に基づいて、指針駆動部２２を駆動して、指針１０は、制御信号に応じた回転角度で回動軸２２ａを回転させる。これによって、指針１０が車両速度に応じた所定の回転角度で回転し、指針１０の指示部１１が後述する指標部４１を指示する。
【００１５】
発光素子２４，２５，２６は、夫々、１個以上の発光ダイオード等によって構成される。発光素子２４は、表示板４０の指標部４１を透過照明する。発光素子２５は、指針１０の指示部１１を光輝させる。発光素子２４，２５は、制御部から供給される制御信号に基づいて駆動され、車両運転者によって操作されるイルミネーションスイッチ等に応じてオン／オフされる。
【００１６】
発光素子２６は、表示板４０の警告表示部４２を透過照明する。発光素子２６は、制御部から供給される制御信号に基づいて駆動され、ＣＡＮ（Controller Area Network）を介して入力された信号に応じてオン／オフされる。発光素子２６が点灯したときは、表示板４０の警告表示部４２が光輝して、警告情報が表示される。
【００１７】
ケース体３０は白色の合成樹脂（例えば、ポリプロピレン）からなり、このケース体３０に回路基板２０が固定されている。ケース体３０は、垂直部３１，傾斜部３２，平行部３３，傾斜部３４，垂直部３５，照明室３６を有している。ケース体３０の垂直部３１は、円筒形状になっており、前端が表示板４０の後面に当接し、後端が回路基板２０の前面に当接している。ケース体３０の垂直部３１は、発光素子２４が発する照明光と、発光素子２５が発する照明光とが混合されることを防ぐ遮光壁になっている。
【００１８】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示板４０と平行な平板形状になっている。ケース体３０の傾斜部３４は、逆円錐状になっており、平行部３３の外周端に連なっている。ケース体３０の傾斜部３４は、発光素子２４が発した照明光を表示板４０に向けて反射させる。
【００１９】
ケース体３０の垂直部３５は、円筒形状になっており、後端が回路基板２０の前面に当接している。ケース体３０の垂直部３５は、傾斜部３４の外周端に連なっている。ケース体３０の垂直部３５は、前端が表示板４０の後面に当接し、後端が回路基板２０の前面に当接している。ケース体３０の照明室３６は、発光素子２６が発する照明光と、発光素子２４が発する照明光とが混合されることを防ぐ遮光壁になっている。
【００２０】
表示板４０は、透光性シートからなる基材４３の前面に、スモーク層４４，白色層４５，黒色層４６，４７，オーバーコート層４８，透光性装飾部４９を順次、スクリーン印刷にて形成したものである。スモーク層４４，白色層４５は、基材４３に形成されている。スモーク層４４は、警告表示部４２に対応する領域及びその近傍領域に形成されている。白色層４５は、警告表示部４２に対応する領域及びその近傍領域を除いた基材４３の略全域に形成されている。
【００２１】
黒色層４６，４７は、スモーク層４４，白色層４５の上に形成されており、発光素子２４が発した照明光を遮る遮光層になっている。黒色層４７には開口４７ａが形成されており、この開口４７ａが指標部４１になっている。表示板４０の指標部４１には、白色層４５，オーバーコート層４８が順次形成されている。指標部４１は、発光素子２４が発した照明光が透過して、白色で視認される。オーバーコート層４８は、透明インクからなるものであり、表示板４０の全域に形成されている。
【００２２】
透光性装飾部４９は、オーバーコート層４８と同じ透明インクからなるものであり、オーバーコート層４８上に形成されている。表示板４０の中央には、液晶表示器５０の画像を視認する矩形の窓部４０ｚが形成されている。液晶表示器５０は、２個の指針式計器（速度計及び回転計）の間に配置されている。液晶表示器５０には、積算走行距離等の車両情報が表示される。
【００２３】
次に、表示板４０について更に詳述する。表示板４０は、目盛部４１ａと数字部４１ｂとからなる指標部４１を有している。表示板４０の指標部４１は、貫通孔４０ａを中心とした円弧状に配置されており、発光素子２４が発した照明光によって透過照明される。
【００２４】
透光性装飾部４９は、表示板４０の貫通孔４０ａを中心にした同心円状のヘアライン模様になっている。透光性装飾部４９は、指標部４１の近傍には形成されておらず、指標部４１の外側の領域及び内側の領域に形成されている。なお、「外側」とは、表示板４０の貫通孔４０ａに向かう方向であり、「内側」とは、表示板４０の貫通孔４０ａから遠ざかる方向である。警告表示部４２は、指標部４１よりも内側に形成されている。透光性装飾部４９が形成されていない領域はドーナツ状になっている。
【００２５】
本実施形態によれば、警告表示部４２に対応する領域に透光性装飾部４９が形成されているため、発光素子２６が点灯していないときには、警告表示部４２が視認され難く、発光素子２６が点灯して、警告表示部４２が光輝したときだけ、警告表示部４２が視認されるため、警告情報を把握しやすい。且つ、指標部４１に対応する領域には透光性装飾部４９が形成されていないため、指標部４１が鮮明に視認される。
【００２６】
なお、本発明は、本実施形態に限定されるものではなく、種々の変形が可能である。例えば、本実施形態は、目盛部４１ａに対応する領域だけでなく、数字部４１ｂに対応する領域にも透光性装飾部４９が形成されていないが、図７に示す他の実施形態のように、数字部４１ｂに対応する領域にも透光性装飾部４９を形成しても良い。
【符号の説明】
【００２７】
１０    指針
２２    指針駆動部
２４    発光素子
２６    発光素子
４０    表示板
４１    指標部
４１ａ  目盛部
４９    透光性装飾部
【図１】
2018096859.tif 000003
【図２】
2018096859.tif 000004
【図３】
2018096859.tif 000005
【図４】
2018096859.tif 000006
【図５】
2018096859.tif 000007
【図６】
2018096859.tif 000008
【図７】
2018096859.tif 000009